(57)【要約】【課題】シャンプーやリンスなどのボトル類、あるいはヘアブラシなどの浴室用品類を簡便に包み込み、浴室内の壁面に取付けたフック類に吊り下げておくことができるようにしたエラストマー製のソフトネットバッグを提供する。【解決手段】厚肉状となしたヘム部２と、このヘム部２に繋がる薄肉状となした包容部３とを有し、ヘム部２は無端状に形成されており、包容部３は浴室用品や化粧用品類を包み込むことができるだけの大きさを有し、且つ適宜形状のスリットないし通孔４を多数形成してあると共に、ヘム部２と包容部３の連繋部分の少なくとも二箇所に持ち手となる開口５を形成してなり、包容部３内に浴室用品や化粧用品類を載置して、持ち手となる開口５を掴んで包容部３を吊り下げたとき、前記スリットないし通孔４が拡開して浴室用品や化粧用品類が包容部３によって包み込まれるようにした。【選択図】図４
0003178382.tif 000002
【実用新案登録請求の範囲】
【請求項１】
厚肉状となしたヘム部と、このヘム部に繋がる薄肉状となした包容部とを有し、前記ヘム部は無端状に形成されており、包容部は浴室用品や化粧用品類を包み込むことができるだけの大きさを有し、且つ適宜形状のスリットないし通孔を多数形成してあると共に、ヘム部と包容部の連繋部分の少なくとも二箇所に持ち手となる開口を形成してなり、包容部内に浴室用品や化粧用品類を載置して、持ち手となる開口を掴んで包容部を吊り下げたとき、前記スリットないし通孔が拡開して浴室用品や化粧用品類が包容部によって包み込まれるようにしたことを特徴とするエラストマー製のソフトネットバッグ。
【請求項２】
厚肉状となしたヘム部はほぼ円形状をなし、当該ヘム部によって囲まれた部分が薄肉状の包容部となっていて、スリットないし通孔は、二箇所に設けた開口の中心部を結ぶ仮想線を境にして左右対称となるように形成してあることを特徴とする請求項１に記載のエラストマー製のソフトネットバッグ。
【考案の詳細な説明】
【技術分野】
【０００１】
本考案は浴室などに取付けられたフックに吊り下げることが可能なソフトネットバッグに係り、特に浴室用品や化粧用品類を安定的に包み込むことができ、且つ透水性の良好なエラストマー製のソフトネットバッグに関する。
【背景技術】
【０００２】
浴室などで使用するせっけん類、シャンプーやリンスのようなボトル、あるいは髭剃り、ヘアブラシ、鏡などの浴室用品を収納するため浴室内に整理棚を配置することが行われている。
【０００３】
たとえば、下記の特許文献１には浴室で使用するせっけんやシャンプー、ブラシなどを分けて入れておくことのできるポケット付きのメッシュ状スタンド型整理棚が開示されている。
【０００４】
また、特許文献２には、浴室にて使用するせっけんやシャンプー類或いは各種小物等の用品類を整理しておくために、浴室に設置可能な置き棚であって、金属線材を加工した底面枠とその上に配置した囲み枠及びそれらを一体に結合した結合材とからなる略長方形状の棚部材を有し、棚部材の一端の３辺に夫々取り付け金具を設ける一方、同棚部材の他端に少なくとも１個の取り付け金具を設け、棚部材の一端の取り付け金具のどれかと他端の取り付け金具に夫々ポールを取り付けることにより、複数個の棚部材を２本のポールで上下に組み立てた置き棚部材を形成し、設置場所に応じた形態を具備するために、上記の置き棚部材を２基直線状に並べるか或いはＬ字状に並べ、かつまた、両置き棚を端部の取り付け金具部分で結合することによって一体化した組み合わせ置棚が開示されている。
【先行技術文献】
【特許文献】
【０００５】
【特許文献１】実開平３−７９７８２号公報
【特許文献２】実用新案登録第３０７５０３５号公報
【考案の概要】
【考案が解決しようとする課題】
【０００６】
上記したように、浴室用品類を整然と収納するようにしてとかく雑然とし勝ちな浴室内を効率良く使用できるようにした整理棚類が提供されている。
しかしながら、これら従来の整理棚類は浴室の床面に設置するものであるため、洗い場面積がその分狭くなるという問題点がある。また、床置きの場合は、接地脚の周囲に髪の毛が絡み付いたり、垢が付着してカビの原因になるという問題点がある。さらに、従来の浴用整理棚類は組み立てが面倒で設置に時間が掛かるという問題点がある。
【０００７】
そこで、本考案は前記した従来の問題点を解消し、シャンプーやリンスなどのボトル類、あるいはヘアブラシなどの浴室用品類を包容部によって包み込み、浴室内の壁面に取付けたフック類に吊り下げておくことができるようにしたエラストマー製のソフトネットバッグを提供することを目的とするものである。
【課題を解決するための手段】
【０００８】
上記課題を解決するための本考案の構成を詳述すれば、請求項１に係る考案は、厚肉状となしたヘム部と、このヘム部に繋がる薄肉状となした包容部とを有し、前記ヘム部は無端状に形成されており、包容部は浴室用品や化粧用品類を包み込むことができるだけの大きさを有し、且つ適宜形状のスリットないし通孔を多数形成してあると共に、ヘム部と包容部の連繋部分の少なくとも二箇所に持ち手となる開口を形成してなり、包容部内に浴室用品や化粧用品類を載置して、持ち手となる開口を掴んで包容部を吊り下げたとき、前記スリットないし通孔が拡開して浴室用品や化粧用品類が包容部によって包み込まれるようにしたことを特徴とするエラストマー製のソフトネットバッグである。
【０００９】
また、請求項２に係る考案は、厚肉状となしたヘム部はほぼ円形状をなし、当該ヘム部によって囲まれた部分が薄肉状の包容部となっていて、スリットないし通孔は、二箇所に設けた開口の中心部を結ぶ仮想線を境にして左右対称となるように形成してあることを特徴とする請求項１に記載のエラストマー製のソフトネットバッグである。
【考案の効果】
【００１０】
本考案に係るエラストマー製のソフトネットバッグによれば、従来の浴室用整理棚と異なり、設置スペースを殆んど必要としないので、とかく狭隘な面積の浴室内環境がこれまで以上に改善される。また、包容部に適宜形状のスリットないし通孔を多数形成してあるので、透水性が良好であり、水の滞留によりカビの生成を抑えることができる。
【００１１】
また、薄肉状の包容部には、二箇所に設けた開口の中心部を結ぶ仮想線を境にして左右対称となるように多数のスリットないし通孔を形成してあるので、シャンプーやリンスなどのボトル類、あるいはヘアブラシなどの浴室用品類を安定して包み込むことができると共に、仮に手や腕が吊り下げ状態のソフトネットバッグに触れたとしても、従来の金属線材を用いた棚板類と異なり怪我をするようなことがなくなる。
【図面の簡単な説明】
【００１２】
【図１】本考案に係るエラストマー製のソフトネットバッグの一実施形態を示す平面図である。
【図２】図１のＡ−Ａ線に沿った拡大断面図である。
【図３】開口周辺部の拡大断面図である。
【図４】本考案に係るエラストマー製のソフトネットバッグの包容部内に浴室用品類を入れてフックに掛けた状態の斜視図である。
【図５】本考案に係るエラストマー製のソフトネットバッグの包容部内に小物類を入れて手で吊り下げた状態の斜視図である。
【考案を実施するための形態】
【００１３】
以下、本考案に係るエラストマー製のソフトネットバッグの具体的構成を図示の実施形態に基づき詳細に説明する。
【００１４】
図中１はシリコンゴム、ウレタンゴム、フッ素ゴムなどのエラストマーによって作製されたソフトネットバッグ本体を示し、当該ソフトネットバッグ本体１は
厚肉状となしたヘム部２と、このヘム部２に繋がる薄肉状となした包容部３とを有している。
【００１５】
厚肉状となした前記ヘム部２は例えば円形、あるいは楕円形をなすように無端状に形成され、ヘム部２の内側に連繋される包容部３は浴室用品や化粧用品類を包み込むことができるだけの大きさを有し、且つ適宜形状のスリットないし通孔４を多数形成してある。また、ヘム部２と包容部３の連繋部分の少なくとも二箇所、すなわち、図示の実施形態においては、円形状をなすヘム部２の１８０°位置を変えた部分に持ち手となる開口５，５を形成してある。
【００１６】
前記開口５，５の大きさは手指あるいはフック部を通すのに支障がない程度の大きさとしてあり、当該開口５，５の周辺も、図３に示すように厚肉状としておくと、把持し易くなってより好ましい効果を得ることができるものである。
【００１７】
なお、厚肉状となしたヘム部２をほぼ円形状となし、当該ヘム部２によって囲まれた部分を薄肉状の包容部３となし、スリットないし通孔４は、二箇所に設けた開口５，５の中心部を結ぶ仮想線６を境にして左右対称となるように形成することによって、包容部３に収納する小物類を安定性良く保持できるようになる。
【００１８】
本考案エラストマー製のソフトネットバッグは以上のような構成からなり、使用にあたっては、図１に示すように偏平な状態にしてから、包容部３内にシャンプーやリンスのボトル、あるいはヘアブラシなどを入れ開口５，５を掴んで持ち上げれば、包容部３に形成してあるスリットないし通孔４が拡開して浴室用品や化粧用品類をソフトに包み込むことができ、浴室内の壁に取付けた適宜形状のフック７に引っ掛けておくことができる。
【００１９】
包容部３内に包み込まれた所望の浴室用品などを取り出すには、手前側の開口５をフック７から外せば、包容部３を拡開でき、目的とする用品類を簡単に取り出すことができる。なお、本考案ソフトネットバッグは浴室以外、すなわち海水浴場などにおいて使用した場合にも多大な効果を得ることができるのは云うまでもない。
【００２０】
以上のように、本考案によれば浴室用整理棚などによらずに簡便に浴室用品類を収納することができ、しかも設置スペースを必要としないので、浴室内環境をこれまで以上に改善することができる。しかも、包容部３には多数のスリットないし通孔４を形成してあるので、水捌けが良好であり、水の滞留に起因する諸種の不具合を解消することができるものである。
【符号の説明】
【００２１】
１：ソフトネットバッグ本体
２：ヘム部
３：包容部
４：スリットないし通孔
５：開口
６：仮想線
７：フック
【図１】
0003178382.tif 000003
【図２】
0003178382.tif 000004
【図３】
0003178382.tif 000005
【図４】
0003178382.tif 000006
【図５】
0003178382.tif 000007